(57)【要約】【課題】  入力した開口運動条件に関する設定値が適切かどうかを判別し、適切な開口運動条件の設定を可能とする。【解決手段】  複数の綜絖枠２を各々専用のモータ３で駆動する織機の電動開口装置１において、綜絖枠２を駆動するための複数の要素からなる開口運動条件を設定する設定器５と、設定された開口運動条件に基づいてモータ３の回転を制御する制御器６と、複数の開口運動条件と各開口運動条件下で綜絖枠２を駆動した時におけるモータ３への実際の各負荷とからなるデータベースを保存する記憶器７と、設定された開口運動条件とデータベースと負荷の許容値とに基づいて、負荷が許容値以下となる推奨開口運動条件を求める演算器８とを含む。【選択図】  図１
2011006836.tif 000002
【特許請求の範囲】
【請求項１】
複数の綜絖枠（２）を各々専用のモータ（３）により駆動する織機の電動開口装置（１）において、
綜絖枠（２）を駆動するための複数の要素からなる開口運動条件を設定する設定器（５）と、設定された開口運動条件に基づいてモータ（３）の回転を制御する制御器（６）と、複数の開口運動条件と各開口運動条件下で綜絖枠（２）を駆動した時におけるモータ（３）の実際の各負荷とからなるデータベースを保存する記憶器（７）と、設定された開口運動条件とデータベースと負荷の許容値とに基づいて、負荷が許容値以下となる推奨開口運動条件を求める演算器（８）と、演算器（８）で求められた推奨開口運動条件を表示する表示器（９）とを含む
ことを特徴とする織機の電動開口装置（１）。
【請求項２】
表示器（９）は、推奨開口運動条件を数値又はグラフ（開口曲線）により表示する
ことを特徴とする請求項２記載の織機の電動開口装置（１）。
【請求項３】
表示器（９）は、設定された開口運動条件に近い開口運動条件であって、対応する負荷が負荷の許容値以下となるような開口運動条件を、対応する負荷と共に複数表示する
ことを特徴とする請求項２記載の織機の電動開口装置（１）。
【請求項４】
複数の綜絖枠（２）を各々専用のモータ（３）により駆動する織機の電動開口装置（１）において、
綜絖枠（２）を駆動するための複数の要素からなる開口運動条件を設定する設定器（５）と、設定された開口運動条件に基づいてモータ（３）の回転を制御する制御器（６）と、複数の開口運動条件と各開口運動条件下で綜絖枠（２）を駆動した時におけるモータ（３）の実際の各負荷とからなるデータベースを保存する記憶器（７）と、設定された開口運動条件とデータベースと負荷の許容値とに基づいて、負荷が許容値以下となる推奨開口運動条件を求める演算器（８）とを含み、
演算器（８）は、求めた推奨開口運動条件を制御器（６）へ出力する
ことを特徴とする織機の電動開口装置（１）。
【発明の詳細な説明】
【技術分野】
【０００１】
本発明は、多数の綜絖枠を各々専用のモータにより駆動する電動開口装置において、開口運動条件を適切に設定する装置に関する。
【背景技術】
【０００２】
織機の電動開口装置は、多数の綜絖枠を各々専用のモータにより駆動し、各綜絖枠を所定の開口曲線に基づいて駆動するが、その開口曲線は、中間位置即ち綜絖枠の上下移動方向における中間位置に対応する織機主軸の回転角度（以下同じ）と上側最大開口位置または下側最大開口でのドウェル（静止角）によって設定される。このドウェルや織機回転数の設定によっては、綜絖枠駆動用のモータの負荷が過大となり、モータが所望の開口曲線に追従できなくなったり、またモータの過大な負荷によって、モータや伝導系が破損することもある。
【０００３】
しかし、作業者は、設定しようとしている開口運動条件での実際のモータの負荷を製織前に認識できないため、開口運動条件の設定後に、必ず試織を行い、負荷発生の状況や開口運動の状態を確認することになる。この結果、開口運動条件の適切な設定や、これにともなう織機の調整、特に織機回転数の調整が煩雑になる。
【特許文献１】特開平９−７８３８９号公報
【特許文献２】特開平９−９５８４０号公報
【発明の開示】
【発明が解決しようとする課題】
【０００４】
本発明の課題は、入力した開口運動に関する設定値が適切かどうかを判別し、適切な開口運動条件の設定を可能とすることである。
【課題を解決するための手段】
【０００５】
上記の課題のもとに、本発明は、複数の綜絖枠を各々専用のモータにより駆動する織機の電動開口装置において、綜絖枠を駆動するための複数の要素からなる開口運動条件を設定する設定器と、設定された開口運動条件に基づいてモータの回転を制御する制御器と、複数の開口運動条件と各開口運動条件下で綜絖枠を駆動した時におけるモータの実際の各負荷とからなるデータベースを保存する記憶器と、設定された開口運動条件とデータベースと負荷の許容値とに基づいて、負荷が許容値以下となる推奨開口運動条件を求める演算器とを含むことを特徴とする。
【０００６】
そして、本発明による織機の電動開口装置は、さらに、前記演算器で求められた推奨開口運動条件を表示する表示器とを含む。
【０００７】
また、前記表示器は、推奨開口運動条件を数値又はグラフ（開口曲線）により表示するものとしてもよい。
【０００８】
さらには、前記表示器は、設定された開口運動条件に近い開口運動条件であって、対応する負荷が負荷の許容値以下となるような開口運動条件を、対応する負荷と共に複数表示するものとしてもよい。
【０００９】
なお、本発明による織機の電動開口装置においては、前記演算器で求められた推奨開口運動条件が、前記制御器に出力されるようにしてもよい。
【発明の効果】
【００１０】
本発明によれば、設定された開口運動条件とデータベースとモータの負荷の許容値とに基づき、負荷が許容値以下となる推奨開口運動条件が演算器によって求められる。その上で、その求められた推奨開口運動条件を表示器に表示されるものとすれば、作業者は、負荷が許容値以下となる適切な推奨開口運動条件の設定値を容易に設定できる。
【００１１】
また、上記表示器における表示において、推奨開口運動条件を数値で表示することにより、作業者が推奨開口運動条件をその数値から直接確認することができ、一方、推奨開口運動条件をグラフ（開口曲線）で表示することにより、作業者が推奨開口運動条件に基づいた開口曲線を視覚的に把握できる。
【００１２】
さらに、対応するモータの負荷が許容値以下である開口運動条件であって、設定された開口運動条件に近い開口運動条件を、その対応する負荷と共に複数表示することにより、作業者は、負荷が許容値以下となる複数の開口運動条件の中から推奨開口運動条件を選び、それを開口運動条件として設定することができる。
【００１３】
また、演算器で求められた推奨開口運動条件が制御器へ出力されるものとすれば、推奨開口運動条件が設定が自動的に行われるものとなる。
【発明を実施するための最良の形態】
【００１４】
図１は、本発明に係る織機の電動開口装置１を示している。織機の電動開口装置１は、複数の綜絖枠２、各々の綜絖枠２を駆動する専用のモータ３、および運動変換機構４を有している。各モータ３は、サーボモータにより構成されており、その回転は、運動変換機構４より綜絖枠２の開口方向の往復上下運動に変換され、対応の綜絖枠２に開口運動として伝達される。
【００１５】
また、織機の電動開口装置１は、各モータ３を制御するために、設定器５、制御器６、記憶器７、演算器８および表示器９を備えている。これらの設定器５、制御器６、記憶器７、演算器８および表示器９は、それぞれ単一の機能の機器として構成されるほか、産業用コンピュータの入出力、記憶、演算機能を利用してプログラムとともに１つのユニットとしても構成できる。
【００１６】
設定器５は、綜絖枠２を駆動するための複数の要素からなる開口運動条件を設定するために、キーボードやタッチパネルなどの入力手段により構成されている。また制御器６は、織機主軸１０に連結されているエンコーダ１２からの回転角度の信号から織機主軸１０の回転角度を検出し、その回転角度に同期する状態のもとに、複数の綜絖枠２に対して設定された開口運動条件に基づいてモータ３の回転を制御する。なお、各モータ３の実際の回転は、エンコーダ１１によって検出され、制御器６にフイードバックされる。記憶器７は複数の開口運動条件と各開口運動条件下で綜絖枠２を駆動した時におけるモータ３への実際の負荷とからなるデータベースを保存する。ちなみに、開口運動条件の要素とは、上死点と下死点との中間位置、開口量、織物幅、組織（開口パターン）、織機回転数およびドウェルをいう。
【００１７】
演算器８は、設定された開口運動条件とデータベースとに基づいて、設定された開口運動条件に対応するモータ３の負荷を求めると共に、その求められた負荷とモータ３の負荷の許容値とに基づき、負荷が許容値以下となる推奨開口運動条件を求める。そして、その求められた負荷および推奨開口運動条件は、表示器９や制御器６に出力される。
【００１８】
表示器９は、必要に応じて求められたモータ３の負荷を表示するとともに、求められた推奨開口運動条件を表示する。また、求められた推奨開口運動条件は、数値またはグラフ（開口曲線）により表示される。なお、開口曲線とは、織機主軸１０の回転角度に対応した綜絖枠の上下位置の変化を示したものである。
【００１９】
以下では、各綜絖枠２毎の開口運動条件を設定器５に入力することによって、設定された開口運動条件で綜絖枠２を駆動するときに、各綜絖枠２に対応するモータ３の負荷を求め、表示器８に表示する例について説明する。
【００２０】
モータ３の負荷の表示のために、記憶器７には、複数の開口運動条件に対応して、例えば織り組織（組織）毎に複数のデータベースが保存されている。これらのデータベースは、個々の開口運動条件で実織することによって、各開口運動条件下で綜絖枠２を駆動した時におけるモータ３の実際の負荷を蓄積したデータであり、図２のようなマップ形式ないし表形式として表される。
【００２１】
図２のデータベースは、上段の枠欄内のように、上死点と下死点との中間位置（織機主軸１０の回転角度）；３００°、開口量；１００ｍｍ、織物幅；１９００ｍｍ、組織（開口パターン）１／１（平織り）という基本的な要素の開口運動条件のもとで、下段の表のように、他の要素の開口運動条件として織機回転数（ｒｐｍ）５００〜９００ｒｐｍを横軸にとり、ドウェル（回転角度）０°／０°〜０°／１２０°を縦軸にとって、各織機回転数に対応する各ドウェルで綜絖枠２を駆動した時におけるモータ３の最大負荷（％）を表中で表している。
【００２２】
図２の表において、モータ３の負荷は、その定格出力（使用限度出力）を１００％とし、それに対するパーセントにより表示される。表中で、例えば８０％は定格出力の８０％の出力状態を表す。また、ドウェルは、回転角度の分数表示となっているが、その分母の回転角度は開口曲線の下側（下死点）における対応する織機主軸１０の回転角度範囲を示し、その分子の回転角度は開口曲線の上側（上死点）における対応する織機主軸１０の回転角度範囲を示している。なお、図２の表のドウェルにおいて、図示されていないが、上死点のドウェルが０°以外、例えば６０°／３０°、８０°／４０°等のドウェルで綜絖枠２を駆動した時における負荷も同様に図２のデータベースに記録されている。また、図２での組織が平織りのデータベースの他に、綾織り等の組織がそれぞれ異なるデータベースも、記憶器７にそれぞれ保存されている。
【００２３】
図２の表から、織機回転数が高くなると、綜絖枠２の開口時の速度も高くなるため、モータ３の負荷のパーセントが大きくなり、またドウェルが大きくなると、綜絖枠２の開口運動時の移動時間が短くなり、その分、綜絖枠２の開口時の速度も高くなるため、モータ３の負荷のパーセントが大きくなることが分かる。
【００２４】
開口運動の設定に際して、作業者は、設定器５のキーやタッチ入力画面を操作して、複数の綜絖枠２ごとに枠番を特定しながら、演算器８に入力する開口運動条件の要素の設定値（数値）を以下のように入力する。
【００２５】
すなわち、作業者は、開口運動条件の設定に際して、複数の綜絖枠２ごとに枠番を特定しながらすべての枠番について、データベースの要素と同様の要素、つまり上死点と下死点との中間位置（回転角度）の設定値として３００°、開口量の設定値として１００ｍｍ、織物幅の設定値として１９００ｍｍ、組織（開口パターン）の設定値として１／１（平織り）、織機回転数の設定値として６００ｒｐｍ、また、ドウェルの設定値として０°／６０°を入力する。
【００２６】
複数の綜絖枠２の開口運動は、織物の組織（開口パターン）に関係している。図３は、枠番１〜８の８個の綜絖枠２について、上方向に１リピート（６サイクル）をとり、綜絖枠２の下位置をハッチングにより、綜絖枠２の上位置をハッチングなし（空白）により表している。モータ３の負荷は、開口方向の切り替わりタイミングや開口状態を保持するときに高くなる。
【００２７】
開口曲線の構成として、中間位置における織機主軸１０の回転角度から１８０°前が上死点に対応する基準の回転角度と定義され、中間位置の回転角度から１８０°後が下死点に対応する基準の回転角度と定義される。例えば、図５に示すように中間位置の回転角度が３００°の場合は、上死点に対応する基準の回転角度は中間位置と同じサイクルの１２０°となり、下死点に対応する基準の回転角度は中間位置の次のサイクルの１２０°となる。
【００２８】
また、ドウェルの設定は、２０°／６０°のように設定されるが、図４の具体的な例によると、図４の表示画面の下部に示すように、上死点のドウェルおよび下死点のドウェルについてドウェルの期間（綜絖枠が上死点および下死点にそれぞれ位置する間の織機主軸１０の回転角度範囲）において、それぞれ上死点に対応する基準の回転角度、下死点に対応する基準の回転角度から、前後に分けて角度入力できるようになっている。このためにドウェル２０°／６０°の実際の設定は、例えば（１０°，１０°）／（３０°，３０°）として入力することになる。この入力は、上死点および下死点の回転角度範囲において、それぞれ前半１０°、３０°、後半１０°、３０°の設定を意味する。もちろんドウェルの期間内で、前半と後半とを異なる回転角度として入力することもできる。
【００２９】
なお、開口量は、機械的あるいは糸種により決まるので、入力項目に含めずに予め設定されていてもよい。また、織物幅も、開口量と同様に、機械的に決まるので、入力項目に含めずに予め設定されてもよい。
【００３０】
作業者が、図４のように、すべての枠番について開口運動条件の設定値を設定器５に入力すると、演算器８は、記憶器７に保存されているデータベースから、入力された開口運動条件に合致する負荷の値を抽出し、その負荷の値の表示データを表示器９に出力する。なお、図４は、設定する開口運動条件の内の中間位置、ドウェルおよび開口量の数値による表示画面を示したものである。その他の開口運動条件も専用の表示画面に数値表示される。また、開口量に関しては、図４の表示画面により入力されていない場合は、予め設定されている初期値が設定されることとし、作業者が開口量を変更する場合に図４の表示画面により入力する。ただし、この表示画面により開口量を変更しても反映されるのは負荷の算出値のみで、実際の綜絖枠の開口量は開口装置での開口量調整を行う必要がある。
【００３１】
作業者は、表示器９の表示内容から、入力した開口運動条件に合致するモータ３の負荷の値を確認する。前記のようにモータ３の負荷の値は、モータ３の定格出力を１００％としたときのモータ３の出力状態である。したがって、入力した開口運動条件に合致する負荷の値が定格出力を下回っている場合には、その負荷の値は許容範囲内であり、入力した開口運動条件は織機の電動開口装置１のモータ３の負荷という観点から適切と判断される。
【００３２】
もっとも、入力した開口運動条件のもとで、仮にモータ３の負荷の値が１００％を越えて過負荷となり、許容範囲外にあるとき、作業者は、織機回転数、ドウェルなどをモータ３の負荷の減少方向に変更し、それでも負荷を許容範囲内に納められないとき、開口量を小さくするなどの対策を講じる。いずれにしても、開口運動条件の一部の要素を変更するとき、変更する要素の優先順序は、織機回転数、ドウェル、開口量の順とする。なお、このような要素の変更にともなって、上死点と下死点との中間位置（回転角度）の設定値が変更されてしまうこともある。
【００３３】
もし、入力した開口運動条件がデータベースに保存されている開口運動条件に正確に合致しない場合、詳細には中間位置、開口量、織物幅、組織が合致するが織機回転数および／またはドウェルが合致しない場合は、演算器８が入力した開口運動条件に一番近いデータベース、この実施例では中間位置、開口量、織物幅、組織が合致する図２のデータベースが抽出され、さらにこのデータベースから合致しない要素に関連するデータを読み込む。
【００３４】
詳細には、織機回転数および／またはドウェルについて、それぞれ設定値に一番近い２つの織機回転数および／またはドウェルとそれに対応する負荷をデータとして読み込む。さらに、２つのデータ間で補完演算を行って、負荷の値を求める。図２の表によると、例えば設定した織機回転数が７５０ｒｐｍの場合は、２つの織機回転数７００ｒｐｍと８００ｒｐｍとの間、および設定したドウェルが０°／９０°の場合は２つのドウェル０°／１２０°と０°／６０°との間において、設定値に対応する負荷の補完演算ができる。
【００３５】
なお、作業者が前記の補完演算を行ってもよい。作業者が前記の補完演算をする場合は、中間位置、開口量、織物幅、組織が合致する図２のデータベースの織機回転数および／またはドウェルのデータの内、それぞれ設定値に一番近い２つのデータ詳細には織機回転数および／またはドウェルと負荷が演算器８によってそれぞれ表示器９に表示され、作業者は表示器９に表示されたデータを確認し、その２つのデータ間で補完演算を行う。
【００３６】
また、開口運動条件のデータベースが少なく、入力された開口運動条件のデータがデータベースの開口運動条件のデータに適合しないときには、データベースの中から入力された開口運動条件に最も近い開口運動条件のデータを抽出し、それを基本の開口運動条件のデータとして、それから経験的な係数を用いて、入力された開口運動条件でのモータ３の負荷を計算により推測することもできる。
【００３７】
詳細には、図２のデータベースにおいて、設定された開口運動条件の内、開口量、織物幅、組織の少なくともいずれかが合致しない場合、基本の開口運動条件のデータから入力された開口運動条件でのモータ３の負荷を推測するときには、開口量Ｌについて経験値から補正係数ａ＝Ｌ／１００、織物幅Ｓについて経験値から補正係数ｂ＝Ｓ／１９００、組織Ｍについて経験値から補正係数ｃ＝１＋Ｍ×０．１を用い、求めようとするモータ３の負荷＝（表の負荷の値）×（ａ×ｂ×ｃ）の計算式から入力された開口運動条件でのモータ３の負荷を求めることもできる。
【００３８】
なお、開口量Ｌおよび織物幅Ｓは共に長さｍｍで与えられる。また組織Ｍは織り組織に固有な値であり、その織り組織１リピート（１繰り返し）において、該当の綜絖枠２の開口曲線で下側のドウェルからの立ち上がり回数と下側のドウェルへの立ち下がり回数との和の数値（単位なし）、または上側のドウェルからの立ち下がり回数と上側のドウェルへの立ち上がり回数との和の数値（単位なし）により与えられる。なお、この推測計算も前記の補完演算と同様に作業者が行ってもよい。
【００３９】
記憶器７には、予測されるなるべく多種の、好ましくはすべての開口運動条件のデータがデータベースとして記憶されておれば、前記の補完演算や推測計算をしなくてもよく、負荷が直接求められ、負荷の演算精度が向上することから有利である。開口運動条件のデータとして例えば織り組織（開口パターン）ごとに多数のメモリチップを準備しておき、これを記憶器７などに差し換えて利用することもできるほか、ホストコンピュータから取り込むこともできる。
【００４０】
このようにして、データベースに基づいて抽出または補完演算や推測計算により求められた負荷が表示器９に表示されることにより、作業者は表示されたモータ３の負荷を読み取って、入力した開口運動条件が適切かどうかを認知でき、適切でなければ、開口運動条件を入力し直して再度負荷を確認することによって、適切な開口運動条件に導き、適切な開口運動条件を入力したら、製織を開始する。製織時に、制御器６は、入力された適切な開口運動条件に基づいて各モータ３の回転を制御し、各綜絖枠２に所定の開口運動を与える。
【００４１】
なお、設定された開口運動条件の数値表示と共に、あるいは単独で、開口運動条件の数値に基づいた開口曲線を表示器９に表示してもよい。また、予めモータ３の負荷の許容値を設定しておき、求められたモータ３の負荷が許容値を超えた場合は、そのモータ３の負荷を色別表示例えば赤色に表示してもよい。
【００４２】
以上で説明した織機の電動開口装置１において、本発明では、モータ３の負荷の許容値を設定しておくことにより、開口運動条件の入力に伴い、設定された開口運動条件とデータベースと負荷の許容値とに基づいて、モータ３の負荷が許容値以下に収まるような開口運動条件（推奨開口運動条件）が求められるものである。また、以下の説明は、その求められた推奨開口運動条件が表示器９に表示される例である。
【００４３】
設定器５には、図４のような表示画面により、モータ３の負荷の許容値として例えば「８０％」を入力し、開口運動条件として例えば枠番１の中間位置を２９０°、開口量を１２０ｍｍを入力する。これらの設定値を設定器５に入力すると、演算器８は、記憶器７に保存されているデータベースから、入力された負荷の許容値以下となる推奨開口運動条件を求める。
【００４４】
詳細には、記憶器７に保存されているデータベースに含まれる開口運動条件と設定された開口運動条件とが合致する場合において、データベースから抽出された負荷の値が設定された負荷の許容値以下である場合は、設定された開口運動条件がそのまま推奨開口運動条件となる。また、データベースから抽出された負荷の値が設定された負荷の許容値を超える場合は、例えば、織機回転数、ドウェルの優先順序で、設定された１ランク下の織機回転数またはドウェルに対する負荷の値と負荷の許容値とを比較し、負荷の許容値以下になるまで織機回転数またはドウェルのランクを織機回転数→ドウェルの順に１ランクずつ徐々に下げていき、入力された負荷の許容値以下となった開口運動条件を推奨開口運動条件として抽出する。また、前記において織機回転数またはドウェルのいずれかのみ１ランクずつ下げてもよい。
【００４５】
また、入力された開口運動条件のうちのいずれかが記憶器７に保存されているデータベースに含まれる開口運動条件と合致しない場合には、前述のように、互いの近似する開口運動条件から補完演算を行うか、または補正係数ａ、ｂ、ｃのような計算式を導入することにより、設定された開口運動条件における負荷の値を算出し、そのようにして算出された負荷の値が設定された負荷の許容値以下の場合には、設定された開口運動条件がそのまま推奨開口運動条件となる。また、算出された負荷の値が設定された負荷の許容値を超える場合には、前記と同様に、負荷が許容値以下となるランク下の開口運動条件を演算することにより推奨開口運動条件を算出する。
【００４６】
なお、負荷の許容値は、織機の出荷時にそれに固有の固定値として設定されていてもよい。以上のように、演算器８は設定された開口運動条件に対応する負荷が許容値を超える場合、織機回転数やドウェルといった所定の開口運動条件について、負荷が許容値以下となるように変更された値を求め、その値を含む開口運動条件を推奨開口運動条件とする。
【００４７】
データベースに基づいて抽出または演算もしくは推測計算により求められた推奨開口運動条件は、表示器９によって、例えば、織機回転数６００ｒｐｍ、中間位置３００°、ドウェル（０°，０°）／（４０°，４０°）と表示される。また、表示器９は、推奨開口運動条件を数値により表示する代わりに、または推奨開口運動条件の数値とともに、図６のように、これらの値に基づいた開口曲線を表示するものとしてもよい。このように、推奨開口運動条件は、必要に応じて数値、グラフ（開口曲線）または数値とグラフ（開口曲線）との組み合わせにより表示される。
【００４８】
詳細には、図６では、１つの綜絖枠２について、負荷の許容値以下の推奨開口運動条件での開口曲線（点線）のみ、または両方の開口曲線（実線および点線）が表示される。設定器５の操作により開口曲線の表示を切り換える。また、２つの綜絖枠２について、負荷の許容値以下の推奨開口運動条件での開口曲線（点線）のみ、または両方の開口曲線（実線および点線）を表示するようにしてもよい。この場合は、設定器５により表示する綜絖枠２の枠番を指定する。
【００４９】
ここで作業者は、推奨開口運動条件の数値に基づいて開口運動条件を修正し、それを設定値として設定器５により設定する。
【００５０】
なお、表示器９は、設定された開口運動条件に近い開口運動条件であって、負荷の許容値以下となるような開口運動条件を、対応する負荷と共に複数表示してもよい。例えば、設定された負荷の許容値が８０％で、設定された開口運動条件が織機回転数７００ｒｐｍでドウェルが０°／１２０°の場合、表示器９は、設定された開口運動条件に近い開口運動条件であって対応する負荷が８０％以下となる複数の開口運転条件を、その開口運動条件に対応する負荷と共に表として表示する。詳細には、図２の例において、織機回転数が６００〜７００ｒｐｍ、ドウェルが０°／６０°〜０°／１２０°の範囲の開口運動条件とその対応する負荷を表として表示する。これにより、作業者は、その複数の開口運動条件の中から推奨開口運動条件を選び、それを開口運動条件として設定することもできる。
【００５１】
以上で説明した例では、求められた推奨開口運動条件を表示器９へ出力して表示するものとしたが、これに限らず、表示器９へ出力することに代えて、又は表示器９へ出力することに加え、求められた推奨開口運動条件を制御器６へ出力して、制御器６に推奨開口運動条件を自動的に設定するものとしてもよい。
【００５２】
このため演算器８は、前述のようにして求めた推奨開口運動条件の設定値を、制御器６へ出力して、そこに自動的に設定する。これにより作業者の織機調整の負担が緩和される。表示器９は、求められた推奨開口運動条件を数値、グラフ（開口曲線）または数値とグラフ（開口曲線）との組み合わせにより表示するが、推奨開口運動条件の設定値が制御器６に自動的に設定される場合は、表示器９は必ずしも必要とされない。
【産業上の利用可能性】
【００５３】
本発明は、すべての織機の電動開口装置１に利用できる。実際の利用に当たり、必要に応じてモータ３の駆動回路中または回転部分に負荷センサが取り付けられ、図示しない織機の制御装置は、織機の稼動時（製織中）に、モータ３の負荷を計測し、計測した負荷が演算により求められた負荷よりも機械的な要因などにより上回ったときに、異常信号を発する。このようにすると、織機の電動開口装置１での機械的な故障を早期に検出でき、管理上有利である。また、既に記載した通り、設定器５、制御器６、記憶器７、演算器８および表示器９は、それぞれ単一の機能の機器として構成されるほか、産業用コンピュータの入出力、記憶、演算機能を利用してプログラムとともに１つのユニットとしても構成できる。
【図面の簡単な説明】
【００５４】
【図１】本発明に係る織機の電動開口装置１の要部の説明図である。
【図２】本発明に係る織機の電動開口装置１での開口運動条件の設定値および負荷の表（データベース）を示したものである。
【図３】８つの綜絖枠の１リビートでの上死点位置（空白）、下死点位置（ハッチング）の説明図である。
【図４】入力表示画面の説明図である。
【図５】開口曲線の表示例の説明図である。
【図６】開口曲線の表示例の説明図である。
【符号の説明】
【００５５】
１  織機の電動開口装置
２  綜絖枠
３  モータ
４  運動変換機構
５  設定器
６  制御器
７  記憶器
８  演算器
９  表示器
１０  織機主軸
１１  エンコーダ
１２  エンコーダ
【図１】
2011006836.tif 000003
【図２】
2011006836.tif 000004
【図３】
2011006836.tif 000005
【図４】
2011006836.tif 000006
【図５】
2011006836.tif 000007
【図６】
2011006836.tif 000008